(57)【要約】  シート材料からなる箱製作用の素材であって、素材には折り目（２２、１８、１６）の模様が設けられており、模様が、複数の形状、寸法および／または構成のうちの任意の１つを有する箱を、素材から組み立てることができるよう選択されている。
2005511416.tif 000002
【特許請求の範囲】
【請求項１】
折り目の模様が設けられているシート材料からなる箱製作用の素材であって、模様が、複数の形状、寸法、および／または構成のうちのいずれか１つを有する箱を素材から組み立てることができるように選択される素材。
【請求項２】
模様が、複数の形状、寸法、および／または構成のうちのいずれか１つを有する箱を素材から組み立てることができるように選択される請求項１に記載の素材。
【請求項３】
模様が、間隔をあけて平行に配置された複数本の第１の折り目、および、間隔をあけて平行に配置され、複数本の第１の折り目を横断する複数本の第２の折り目を有している請求項１または２に記載の素材。
【請求項４】
間隔をあけて平行に配置された複数本の第１および第２の折り目が、素材の表面に四角形形状の横列および縦列を規定し、四角形形状のそれぞれが、折り目によって隣接する四角形形状と区分けされている請求項３に記載の素材。
【請求項５】
模様が、複数本の第１および第２の折り目に対して或る角度で、間隔をあけて平行に配置された複数本の第３の折り目を有している請求項３または４に記載の素材。
【請求項６】
模様が、複数本の第１および第２の折り目に対して或る角度で、間隔をあけて平行に配置され、複数本の第３の折り目を横断する複数本の第４の折り目を有している請求項５に記載の素材。
【請求項７】
或る人が所望の形状、寸法、および／または構成の箱を組み立てることができるよう、人への素材の折りたたみ、接続、および／または切断についての指示が備えられている請求項１〜６のいずれか一項に記載の素材。
【請求項８】
指示が、素材に印刷されている請求項７に記載の素材。
【請求項９】
印刷による装飾的な表示、好ましくは箔押し印刷による表示が設けられている請求項１〜８のいずれか一項に記載の素材。
【請求項１０】
複数本の第３および／または第４の折り目が、間隔をあけて平行に配置された複数本の第１および第２の折り目によって規定された四角形形状に対し、対角線状である請求項５〜９のいずれか一項に記載の素材。
【請求項１１】
シート材料が、適当な丈夫な紙、プラスチックをコートした紙、プラスチック、板紙、ボール紙、段ボール紙、プラスチック積層紙、押し出し成型による２枚壁のプラスチック板である請求項１〜１０のいずれか一項に記載の素材。
【請求項１２】
柔軟なシート材料からなる接続具であって、
接続具の一表面上の接着剤、および
箱のパネルをパネルが当接、隣接、重複、および／または縁を揃えて完全に重複している位置において接着によって接続するために、接続具を切断および／または折り曲げできるように設計された折り目の模様
を有する接続具。
【請求項１３】
略正方形の形状であり、折り目の模様が、
接続具を２つの長方形形状に分割している線に近接して接続具の一辺から対向辺まで延びる間隔をあけて平行に並んだ第１の一対の折り目、および、
平行に並んだ第１の一対の折り目の一方から最寄りの辺まで延び、接続具を２つの長方形形状に分割している線にほぼ沿って横断している折り目
を有している請求項１２に記載の接続具。
【請求項１４】
折り目の模様が、さらに、接続具を２つの長方形形状に分割している線に近接して、第１の一対の折り目の他方から接続具の最寄りの辺まで横切って延びる間隔をあけて平行に並んだ第２の一対の折り目を有している請求項１３に記載の接続具。
【請求項１５】
折り目の模様が、さらに１本またはそれ以上の対角線状の折り目を有している請求項１４に記載の接続具。
【請求項１６】
細長い標示具であって、一表面に接着剤を有し、接着面を互いに接着する２つの一致する半片へと折りたたむことができるよう、標示具の幅を横切るように設けられた折り目に沿って対称である標示具。
【請求項１７】
両端付近にそれぞれ１つずつ、標示具の幅を横切る相対する一対の折り目をさらに有している請求項１６に記載の細長い標示具。
【請求項１８】
相対する一対の穴、または、相対する穴を設ける位置を示す相対する一対の目印が設けられている請求項１６または１７に記載の細長い標示具。
【請求項１９】
請求項１〜１１のいずれか一項に記載の箱製作用素材、請求項１２〜１５のいずれか一項に記載の接続具、および／または請求項１６〜１８のいずれか一項に記載の細長い標示具を含んでいる箱組み立てのための材料一式。
【請求項２０】
切断用工具、エンボス加工工具、リボン、箱内に入れる品物を包装する包装紙、および／または組み立てた箱に取り付ける装飾用の物品を含んでいる請求項１９記載の材料一式。
【請求項２１】
箱を製作するための方法であって、折り目の模様が設けられ、模様が、複数の形状、寸法および／または構成のうちの任意の１つを有する箱を組み立てることができるように選択される箱製作用素材を用意する工程を有する方法。
【請求項２２】
折り目の模様が設けられているシート材料からなる箱製作用の素材であって、添付の図面を参照して本明細書で詳述したような素材。
【請求項２３】
柔軟なシート材料からなる接続具であって、添付の図面を参照して本明細書で詳述したような接続具。
【請求項２４】
柔軟なシート材料からなる細長い標示具であって、添付の図面を参照して本明細書で詳述したような標示具。
【請求項２５】
箱組み立てのための材料一式であって、添付の図面を参照して本明細書で詳述したような材料一式。
【請求項２６】
箱を製作するための方法であって、添付の図面を参照して本明細書で詳述したような方法。
【請求項２７】
汎用の一素材から、複数の形状、寸法、および／または構成のうちの１つまたは複数を有する箱を製作するためのシステムであって、本明細書で詳述したような、および図示したシステム。
【発明の詳細な説明】
【技術分野】
【０００１】
本発明は、箱を組み立てるための素材、方法、および材料一式に関する。
【背景技術】
【０００２】
本出願の出願人は、箱が通常、特定の形状、寸法および構成の箱をもたらすべく設計された形状、折り目の模様および／または切れ目を備える素材から組み立てられることを承知している。特定の箱の製作のために、特定の金型が用意されている。
【発明の開示】
【発明が解決しようとする課題】
【０００３】
本発明の第１の態様によれば、シート材料からなる箱製作用の素材であって、折り目の模様が設けられており、模様が、素材から複数の形状、寸法および／または構成のうちの任意の１つを有する箱を組み立てることができるように選択されている素材が提供される。
【０００４】
折り目の模様を、斜行平行線マス目または縦横であって、マス目または縦横を構成している折り目の少なくともいくつかが交差していない、すなわち、折り目が破線の形態である斜行平行線マス目または縦横としてもよい。
【０００５】
したがって、折り目が交差するであろう−実際には交差しない−位置において、前記位置から外側へと、折り目が放射状に延びている。
【０００６】
折り目とは、指示線、型押しによる線、ミシン目による線、切り込み線、しわ、あるいは前もって折り曲げた線などの強度を弱めた任意の線を意味するものと理解される。
【０００７】
模様は、素材から複数の形状、寸法および／または構成のうちの任意の１つを有する箱を組み立てることができるように選択できる。組み立てられる箱の形状および／または寸法は、薄板状素材の寸法によって決まる。
【０００８】
模様は、間隔をあけて平行に配置された複数本の第１の折り目、および、間隔をあけて平行に配置され、複数本の第１の折り目を横断する複数本の第２の折り目を備えることができる。間隔をあけて平行に配置された複数本の第２の折り目のうちの１本またはそれ以上は、間隔をあけて平行に配置された複数本の第１の折り目と交差してもよい。
【０００９】
間隔をあけて平行に配置された複数本の第１および第２の折り目によって、素材の表面に四角形形状の列および縦列を規定することができ、四角形形状のそれぞれが、折り目によって隣接する四角形形状と区分けされる。
【００１０】
複数本の第１および第２の折り目によって規定される四角形形状のそれぞれは、４辺が等しくてもよく、すなわち正方形であってよい。
【００１１】
さらに、模様が、複数本の第１および第２の折り目に対して或る角度で、間隔をあけて平行に配置された複数本の第３の折り目を有していてもよい。
【００１２】
さらに、模様が、複数本の第１および第２の折り目に対して或る角度で、間隔をあけて平行に配置され複数本の第３の折り目を横断する複数本の第４の折り目を有していてもよい。複数本の第４の折り目のうちの１本またはそれ以上は、複数本の第３の折り目のうちの１本またはそれ以上と交差してもよい。
【００１３】
素材が、或る人物が所望の形状、寸法および／または構成の箱を組み立てることができるよう、人物に対する素材の折りたたみ、接続および／または切断に関する指示を備えていてもよい。
【００１４】
指示を、素材に印刷してもよい。
【００１５】
素材に、印刷またはエンボス加工による装飾的な表示が設けられていてもよい。表示は、箔押し印刷による表示でもよい。
【００１６】
複数本の第３および第４の折り目は、間隔をあけて平行に配置された複数本の第１および第２の折り目によって規定された四角形形状に関し、対角線上にあってよい。
【００１７】
複数本の第３および第４の折り目によって規定される四角形形状のそれぞれは、４辺が等しくてもよく、すなわち正方形であってよい。
【００１８】
シート材料は、適当な丈夫な紙、プラスチックをコートした紙、プラスチック、板紙、ボール紙、段ボール紙、プラスチック積層紙、押し出し成型による２枚壁のプラスチック板などでよい。
【００１９】
本発明のさらなる態様によれば、一表面に接着剤を有し、さらに折り目の模様を有する接続具であって、箱のパネルを前記パネルが当接、隣接、重複および／または縁を揃えて完全に重複している位置において接着によって接続するため、折り目の模様が、接続具を切断および／または折り曲げできるように設計されている接続具が提供される。
【００２０】
接続具は、折りたたみ可能としてもよい。接続具を、柔軟な材料から作ることによって折りたたみ可能としてもよく、あるいは、接続具が、折り目が設けられることによって折りたたみ可能とされた剛な材料から作られていてもよい。
【００２１】
接続具によって、前記パネルを接着して接続し、パネルによって箱の少なくとも一部を規定することができる。
【００２２】
一実施の形態において、接続具は、４５グラムの紙箔粘着層を有する１００ミクロンのポリプロピレン−つや消し白色の材料である−から作ることができる。
【００２３】
接続具は概ね正方形の形状とすることができ、折り目の模様は、
接続具を２つの長方形形状に分割している線に近接し、接続具の一辺から、対向辺まで延びる、間隔をあけて平行に並んだ第１の一対の折り目、および
平行に並んだ第１の一対の折り目の一方から最寄りの辺まで延び、接続具を２つの長方形形状に分割している線にほぼ沿って横断している折り目
を備えることができる。
【００２４】
さらに折り目の模様は、接続具を２つの長方形形状に分割している線に近接し、第１の一対の折り目の他方から、最寄りの辺まで横断するように延びる、間隔をあけて平行に並んだ第２の一対の折り目を備えることができる。
【００２５】
さらに折り目の模様は、１本またはそれ以上の対角線状の折り目を備えることができる。
【００２６】
接続具が、組み立てた箱のパネルを補強する補強手段としても機能すると好ましい。
【００２７】
本発明の別の態様によれば、柔軟なシート材料からなる細長い標示具であって、一表面に接着剤を有し、接着面を互いに接着する２つの一致する半片へと折りたたむことができるよう、標示具の幅を横切るように設けられた折り目に沿って対称である標示具が提供される。
【００２８】
さらに標示具が、標示具の両端付近に、標示具の幅を横切るように設けられた相対する一対の折り目を備えてもよい。
【００２９】
さらに標示具に、相対する一対の穴を設けてもよく、あるいは、人が相対する穴を開けることができる位置を示す相対する一対の目印を設けることができる。穴または目印は、標示具の両端付近に位置することができる。
【００３０】
本発明のさらなる態様によれば、箱を組み立てるための材料一式であって、前述した箱用の素材、接続具および／または細長い標示具を有する材料一式が提供される。
【００３１】
材料一式は、切断用工具および／または組み立てた箱へと付加される装飾用物品を含むことができる。
【００３２】
本発明の別の態様によれば、箱を製作するための方法であって、複数の形状、寸法および／または構成のうちの任意の１つを有する箱を組み立てることができるように選択された折り目の模様が設けられている箱製作用素材を用意する工程を含んでいる方法が提供される。
【００３３】
以下、添付の図面を参照しつつ、例示として本発明を説明する。
【発明を実施するための最良の形態】
【００３４】
図１〜４を参照すると、本発明による箱製作用薄板状素材であって丈夫な紙材料からなる素材が、広く参照番号１０で示されている。この箱製作用薄板状素材１０には、印刷による折り目からなる模様１２が設けられている。模様１２は、図２〜４に示した例のように、素材から複数の形状、寸法および／または構成のうちの任意の１つを有する箱１４を組み立てることができるよう選択されている。
【００３５】
模様１２は、間隔をあけて平行に並んだ複数本の第１の折り目１６、および間隔をあけて平行に並んだ複数本の第２の折り目１８を有しており、複数本の第２の折り目１８が、複数本の第１の折り目１６に直角をなして交差している。さらに模様１２は、間隔をあけて平行に並んだ複数本の第３の折り目２０、および間隔をあけて平行に並んだ複数本の第４の折り目２２を有しており、両者とも、複数本の第１および第２の折り目１６および１８に対し或る角度にある。複数本の第４の折り目２２は、複数本の第３の折り目２０に対し直角であり、複数本の第３の折り目２０と交差している。
【００３６】
図２に、素材１０から組み立てた三角形断面を有する箱１４．１を示すが、素材１０は、黒塗りの線２３に沿って切断され曲げられている。
【００３７】
図３に、素材１０から組み立てた蓋２５つきの箱１４．２を示すが、素材１０は、黒塗りの線２３に沿って切断され曲げられている。
【００３８】
次に図４〜１３を参照すると、柔軟なシート材料からなる本発明による接続具が、参照番号２４で示されている。接続具２４は、一表面に接着剤を有し、さらに折り目の模様２６を有する。図６〜１３に示されているとおり、折り目の模様２６は、箱１４のパネル３０をパネル３０によって規定される角の部分（図１１および１３に示すような）で接着して接続するため、パネル３０によって規定される跳ね上げ蓋（図１２に示すような）を形成するため、そして、当接、隣接、重複および／または縁を揃えて完全に重複しているパネル３０（図６〜１０に示すような）を接続するため、接続具２４を切断および／または折り曲げできるように構成されている。
【００３９】
接続具２４は概ね正方形の形状とされ、印刷による折り目の模様２６は、接続具１０を２つの長方形形状に分割している線に沿い、接続具２４の一辺から対向辺まで延びている間隔をあけて平行に並んだ第１の一対の折り目２６．１、および、接続具２４を２つの長方形形状に分割している線に沿って直交する折り目２６．２を有している。折り目２６．２は、平行に並んだ第１の一対の折り目２６．１の一方から、最寄りの辺まで延びている。さらに、折り目の模様２６は、接続具２４を２つの長方形形状に分割している線に沿い、第１の一対の折り目２６．１の他方から最寄りの辺まで横切るように延びている平行に並んだ第２の一対の折り目２６．３を有している。さらに、折り目の模様２６は、対角線状の折り目２６．４を有している。
【００４０】
図１４には、柔軟なシート材料からなる本発明による細長い標示具３２が示されている。標示具３２は、一表面に接着剤を有する。標示具３２は、標示具３２を幅方向に横切るように設けられた折り目３４に沿って対称であり、接着剤の表面を、互いに接着する対応する２つの半片へと折りたたむことができる。さらに、標示具３２は、標示具３２の両端付近に、標示具３２を幅方向に横切る相対する一対の折り目３６を備えている。さらにまた、標示具３２は、相対する一対の目印３８を有し、目印３８の指示する位置に、相対する穴４０をあけることができる。目印３８は、標示具３２の両端付近にそれぞれ位置している。標示具３２の万能性および用途は、図１４に明確に示されている。
【００４１】
図１５は、さらに、接続具２４および標示具３２の、それぞれ装飾および標識付けにおける使用例を示している。
【図面の簡単な説明】
【００４２】
【図１】図１は、本発明による箱製作用薄板状素材を示した図である。
【図２】図２は、本発明による箱製作用薄板状素材、および素材から組み立てた箱を示した図である。
【図３】図３は、本発明による箱製作用薄板状素材、および素材から組み立てた箱を示した図である。
【図４】図４は、本発明による箱製作用薄板状素材から組み立てた３種類の箱を示した図である。
【図５】図５は、本発明による接続具を示した図である。
【図６】本発明による接続具のいくつかの使用例を示した図である。
【図７】本発明による接続具のいくつかの使用例を示した図である。
【図８】本発明による接続具のいくつかの使用例を示した図である。
【図９】本発明による接続具のいくつかの使用例を示した図である。
【図１０】本発明による接続具のいくつかの使用例を示した図である。
【図１１】本発明による接続具のいくつかの使用例を示した図である。
【図１２】本発明による接続具のいくつかの使用例を示した図である。
【図１３】本発明による接続具のいくつかの使用例を示した図である。
【図１４】図１４は、箱の一部分、および本発明による標示具、ならびに標示具のいくつかの使用例を示した図である。
【図１５】図１５は、本発明による接続具のさらなる使用例として、蝶結びを取り付けるために使用した例を示した図である。
【図１】
2005511416.tif 000003
【図２】
2005511416.tif 000004
【図３】
2005511416.tif 000005
【図４】
2005511416.tif 000006
【図５】
2005511416.tif 000007
【図６】
2005511416.tif 000008
【図７】
2005511416.tif 000009
【図８】
2005511416.tif 000010
【図９】
2005511416.tif 000011
【図１０】
2005511416.tif 000012
【図１１】
2005511416.tif 000013
【図１２】
2005511416.tif 000014
【図１３】
2005511416.tif 000015
【図１４】
2005511416.tif 000016
【図１５】
2005511416.tif 000017
【国際調査報告】
2005511416.tif 000018
2005511416.tif 000019
2005511416.tif 000020
2005511416.tif 000021
2005511416.tif 000022
2005511416.tif 000023